(57)【特許請求の範囲】
【請求項１】
正面側が植物の植えられる植栽面である植物生育基盤と、この植物生育基盤の背面側に隣接した仕切り空間となる通気層と、この通気層の背面側に位置して前記植物生育基盤に通気するファンとを有する複数の植栽ユニットが並んで配置され、これら複数の植栽ユニットは互いに隣合うもの同士が連結手段によって着脱可能に連結されている空気浄化緑化装置。
【請求項２】
請求項１に記載の緑化装置において、前記植栽ユニットは、前記植物生育基盤が収容され正面および背面が開口した内側筐体と、この内側筐体の正面以外の面を囲む外側筐体とを有し、前記隣合う植栽ユニットの前記外側筐体同士が前記連結手段によって互いに連結された空気浄化緑化装置。
【請求項３】
請求項２に記載の空気浄化緑化装置において、前記内側筐体と前記外側筐体との間に前記通気層が形成され、前記外側筐体の背面板部に前記ファンが取り付けられた空気浄化緑化装置。
【請求項４】
請求項１ないし請求項３のいずれか１項に記載の空気浄化緑化装置において、前記植物生育基盤を通過する空気の経路中に、空気浄化性能を高める浄化促進手段が設けられた空気浄化緑化装置。
【請求項５】
請求項１ないし請求項４のいずれか１項に記載の空気浄化緑化装置において、前記複数の植栽ユニットが上下に並んで配置され、これら上下に並ぶ植栽ユニットに亘って背面を覆う背面カバーが前記通気層の背面側に距離を隔てて設けられ、前記背面カバーは、前記通気層と前記背面カバーとの間の背面側空間から外部に開口する開口部を有する空気浄化緑化装置。
【請求項６】
請求項１ないし請求項４のいずれか１項に記載の空気浄化緑化装置において、前記複数の植栽ユニットが上下に並んで配置され、これら上下に並ぶ植栽ユニットに亘って背面を覆う背面カバーが前記通気層の背面側に距離を隔てて設けられ、前記背面カバーは気密性を有し、前記通気層と前記背面カバーとの間の背面側空間が前記植物生育基盤を通過する空気の経路の一部を成す空気浄化緑化装置。
【発明の詳細な説明】
【技術分野】
【０００１】
この発明は、室内等に設置してパーティション等として使用するのに適した空気浄化緑化装置に関する。
【背景技術】
【０００２】
植物を植えて緑化する機能と空気を浄化する機能とを備えた空気浄化緑化装置がある。この種の空気浄化緑化装置を室内に設置してパーティションとして使用する場合、図１１に示すように、縦長（高さ１ｍ〜２ｍ程度）の一体ものの箱形フレーム６１内に植物６２の生育基盤となる土壌６３を詰めていた。また、土壌層の通気は、一箇所に設置されたファン６４で行っていた。図示例の場合、矢印で示すように、空気浄化緑化装置６０の背面側の下部から空気を吸い込み、通気層６５を経由し、土壌層を背面側から正面側へ通気する。
【０００３】
個々が植物生育基盤を有する複数の緑化用のユニットを並べることにより、全体で広い緑化面の空気浄化緑化装置を得る技術が特許文献１〜４に提案されている。これらの提案では、各ユニットの植物生育基盤に共通の一つのファンで通気するようにしている。
【０００４】
また、特許文献５の図５、図６に、複数の空気浄化緑化装置を並べて配置することにより、広い緑化面を得る手法が開示されている。
【先行技術文献】
【特許文献】
【０００５】
【特許文献１】特許第５８１６２１５号公報
【特許文献２】特許第５８３３２７２号公報
【特許文献３】特許第５００１１４８号公報
【特許文献４】特開２０１５−２０２０９１号公報
【特許文献５】特開２０１４−１１７２５３号公報
【発明の概要】
【発明が解決しようとする課題】
【０００６】
図１１に示す従来例のように、一体ものの箱形フレーム６１に土壌６３が収容された空気浄化緑化装置６０をパーティションとして使用する場合、以下の課題がある。
１．箱形フレーム６１内に土壌６３を均一に詰めることが難しい。
２．箱形フレーム６１内の土壌６３が重力の影響で沈むことにより、箱形フレーム６１の上部に土壌６３が存在しない隙間ができやすい。
３．サイズ違いの空気浄化緑化装置６０を作成する場合、空気浄化緑化装置６０ごとにサイズに合わせて箱形フレーム６１を準備する必要がある。
４．一体ものの箱形フレーム６１は長尺で重いため、取扱い難く、かつ施工性が悪い。
５．植物６２または土壌６３を交換する場合、植物６２または土壌６３の一部だけを交換することができず、全体を交換する必要がある。
６．一箇所に設置されたファン６４で土壌層の全体に通気すると、通気にむらが出やすい。
７．通気にむらがあることにより、一つの空気浄化緑化装置６０内で植物生育環境に差が出る。
８．サイズ違いの空気浄化緑化装置６０を作成する場合、サイズに合わせてファン６４の仕様を変える必要がある。
【０００７】
特許文献１〜４のように、複数の緑化用のユニットを並べることで、パーティションのような縦長の空気浄化緑化装置を得ることが可能である、しかし、これらの提案は、各ユニットの植物生育基盤に共通の一つの送風手段で通気するため、通気にむらがでるという課題が解決できない。
【０００８】
また、特許文献５は、複数の空気浄化緑化装置を並べて配置することについては開示されているが、各空気浄化緑化装置を連結する手段については示されていない。また、特許文献５の空気浄化緑化装置は、植物生育基盤とファンとが上下に並んでいるため、複数の空気浄化緑化装置を並べて配置した場合、各空気浄化緑化装置によって形成される緑化壁面のうち、ファンが設けられている部分が占める面積が比較的広くなり、実質的な緑化面である植栽面の面積が狭められる。
【０００９】
この発明の目的は、サイズ変更が容易で、取扱い性および施工性が良く、植物生育基盤の偏りが生じ難く、植物生育基盤の各部で植物生育環境を一定に保つことができる空気浄化緑化装置を提供することである。
【課題を解決するための手段】
【００１０】
この発明の空気浄化緑化装置は、正面側が植物の植えられる植栽面である植物生育基盤と、この植物生育基盤の背面側に隣接した仕切り空間となる通気層と、この通気層の背面側に位置して前記植物生育基盤に通気するファンとを有する複数の植栽ユニットが並んで配置され、これら複数の植栽ユニットは互いに隣合うもの同士が連結手段によって着脱可能に連結されている。
【００１１】
この構成によると、植物生育基盤を有する植栽ユニットを複数並べた構成としたことにより、以下の作用・効果が得られる。
１．１個当たりの植栽ユニットの大きさをあまり大きくしなくて済むため、植栽ユニット内での植物生育基盤の偏りが生じ難く、植物生育基盤を均一に詰めやすい。
２．上記理由により、植物生育基盤が重力の影響で沈むことが少なく、植栽ユニットの上部に植物生育基盤が存在しない隙間ができることを避けられる。
３．複数の植栽ユニットを上下または左右に連結することによって、任意の広さの植栽面が得られる。
４．植栽ユニットの各パーツをコンパクトで軽量にできるため、施工性が良い。
５．植物または植物生育基盤を交換する際、植栽ユニットごと交換することができ、交換作業が簡単である。
【００１２】
また、植栽ユニットごとにファンを設けたことにより、以下の作用・効果が得られる。
６．植栽ユニットごとに通気のむらが出難い。
７．上記理由により、植栽ユニットごとで植物生育環境に差が出難い。
８．サイズ違いの空気浄化緑化装置を作成する場合、ファンの仕様を変える必要がない。
９．植物生育基盤の背面側にファンが位置するため、ファンによって植栽面が狭められず、緑化壁面のうちの植栽面の面積を広く取れる。
【００１３】
この発明において、前記植栽ユニットは、前記植物生育基盤が収容され正面および背面が開口した内側筐体と、この内側筐体の正面以外の面を囲む外側筐体とを有し、前記隣合う植栽ユニットの前記外側筐体同士が前記連結手段によって互いに連結されていてもよい。
植栽ユニットが内側筐体と外側筐体とを有すると、或る植栽ユニットの植物または植物生育基盤を交換する際、その植栽ユニットの内側筐体だけを取り外して交換作業を行えるので、交換作業がより一層容易になる。
【００１４】
また、前記内側筐体と前記外側筐体との間に前記通気層が形成され、前記外側筐体の背面板部に前記ファンが取り付けられていてもよい。
この場合、植物生育基盤の背面側に通気層が配置され、この通気層を介してファンで植物生育基盤に通気する。植物生育基盤の背面の広い範囲が通気層に接するようにすることで、植物生育基盤の全体を均等に通気することが可能になる。
【００１５】
この発明において、前記植物生育基盤を通過する空気の経路中に、空気浄化性能を高める浄化促進手段が設けられていてもよい。浄化促進手段は、例えば活性炭、光触媒等である。
浄化促進手段が設けられていると、植物生育基盤による空気浄化に加えて、浄化促進手段による空気浄化も行われるので、空気浄化緑化装置が設置される空間の空気をより一層清浄化することができる。
【００１６】
この発明において、前記複数の植栽ユニットが上下に並んで配置され、これら上下に並ぶ植栽ユニットに亘って背面を覆う背面カバーが前記通気層の背面側に距離を隔てて設けられ、前記背面カバーは、前記通気層と前記背面カバーとの間の背面側空間から外部に開口する開口部を有していてもよい。
開口部を有する背面カバーを使用すると、正面側から入って植物生育基盤を通過した空気が、通気層および背面側空間を経て、背面カバーの開口部から外部空間へ吐出される。または、この逆の空気の流れが生じる。上下に並んだ複数の植栽ユニットの背面部を背面カバーで覆うことにより、各植栽ユニットを隠して意匠性を高める効果、ファンの回転音を防音する効果、植栽ユニットを保護する効果等が得られる。
【００１７】
また、前記背面カバーは気密性を有し、前記通気層と前記背面カバーとの間の背面側空間が前記植物生育基盤を通過する空気の経路の一部を成していてもよい。
この場合、正面側から入って植物生育基盤を通過した空気が、通気層を経た後、背面側空間を通って、任意に設定される空気出入り口へ導かれる。または、この逆の空気の流れが生じる。空気吐出部は、空気浄化緑化装置の正面側であってもよく、背面側であってもよい。このように、通気層と背面カバーとの間の背面側空間を空気の経路の一部とすることにより、空気浄化緑化装置が設置される場所に応じた設計が可能となる。
【発明の効果】
【００１８】
この発明の空気浄化緑化装置は、正面側が植物の植えられる植栽面である植物生育基盤と、この植物生育基盤の背面側に隣接した仕切り空間となる通気層と、この通気層の背面側に位置して前記植物生育基盤に通気するファンとを有する複数の植栽ユニットが並んで配置され、これら複数の植栽ユニットは互いに隣合うもの同士が連結手段によって着脱可能に連結されているため、サイズ変更が容易で、取扱い性および施工性が良く、植物生育基盤の偏りが生じ難く、植物生育基盤の各部で植物生育環境を一定に保つことができる。
【図面の簡単な説明】
【００１９】
【図１】（Ａ）はこの発明の一実施形態にかかる空気浄化緑化装置の縦断面図、（Ｂ）は１Ｂ部拡大図である。
【図２】（Ａ）同空気浄化緑化装置の斜視図、（Ｂ）は植栽ユニットの連結部を示す分解斜視図、（Ｃ）は異なる植栽ユニットの連結部を示す分解斜視図である。
【図３】同空気浄化緑化装置の実際の使用状況を示す斜視図である。
【図４】同空気浄化緑化装置の配置例を示す説明図である。
【図５】この発明の異なる実施形態にかかる空気浄化緑化装置の縦断面図である。
【図６】この発明のさらに異なる実施形態にかかる空気浄化緑化装置の縦断面図である。
【図７】この発明のさらに異なる実施形態にかかる空気浄化緑化装置の縦断面図である。
【図８】同空気浄化緑化装置の斜視図である。
【図９】同空気浄化緑化装置の植栽ユニットの分解斜視図である。
【図１０】同植栽ユニットにおける前蓋への植栽ポットの取付部の断面図である。
【図１１】従来の空気浄化緑化装置の縦断面図である。
【発明を実施するための形態】
【００２０】
この発明の一実施形態を図１〜図４と共に説明する。
この空気浄化緑化装置１Ａは、図１（Ａ）に示すように、複数の植栽ユニット２と、一つの設備ユニット３とを備える。設備ユニット３は設置脚４によって床面に設置され、設備ユニット３の上に複数の植栽ユニット２が上下に並べて積み重ね状態に設けられている。図示例では、植栽ユニット２の数が３個である。一つの植栽ユニット２の高さは、例えば５０ｃｍ程度である。このように複数の植栽ユニット２を上下に並べた構成であるため、この空気浄化緑化装置１Ａは全体的に左右幅が狭い縦長の形状であって、例えば図４に示すように複数並べて、室内の空間を仕切るパーティション５として使用される。
【００２１】
図１（Ａ）に示すように、植栽ユニット２は、正面側が植物Ｐの植えられる植栽面である植物生育基盤６と、この植物生育基盤６の背面側に隣接した仕切り空間となる通気層７と、この通気層７の背面側に位置して植物生育基盤６に通気するファン８とを有する。
【００２２】
植物生育基盤６としては、通気性のある軽量土壌が用いられる。具体的には、自然土壌の他に、バーク堆肥等の有機系土壌改良材、或いはパーライト等の無機系土壌改良材等の様々な一般に流通する資材を適宜組み合わせたものを用いる。また、活性炭等の多孔物質が土壌中に含まれていてもよい。
【００２３】
植栽ユニット２の植物生育基盤６は、正面および背面が開口した内側筐体１０に収容される。内側筐体１０の開口した正面部および背面部には、植物生育基盤６の脱落を防止するために、メッシュ材等の通気性部材１１，１２がそれぞれ設けられている。
【００２４】
内側筐体１０は外側筐体１３に着脱自在に取り付けられる。取付構造については後述する。外側筐体１３は、内側筐体１０の正面以外の面を囲む形状である。内側筐体１０の開口した背面と外側筐体１３の背面板部１３ａとの間に、前記通気層７が形成されている。外側筐体１３の背面板部１３ａの中央部に通孔１４が設けられており、この通孔１４に空気吸込み口または空気吐出口の位置を合わせて、前記ファン８が背面板部１３ａの背面に取り付けられている。
【００２５】
図１（Ｂ）は、外側筐体１３への内側筐体１０の取付部の拡大図である。内側筐体１０は、正面側端に開口の外側に広がる縁部１０ａを有する。外側筐体１３は、正面側端に開口の内側を向く縁部１３ｂを有する。これら内側筐体１０の縁部１０ａおよび外側筐体１３の縁部１３ｂには、互いに位置を揃えて複数の取付用ボルト挿通孔（図示せず）が設けられている。また、外側筐体１３の縁部１３の背面には、前記取付用ボルト挿通孔にねじ孔を合わせてナット１６が固定されている。外側筐体１３の縁部１３ｂの正面側に内側筐体１０の縁部１０ａを重ね合わせ、内側筐体１０の縁部１０ａおよび外側筐体１３の縁部１３ｂの各ボルト挿通孔に正面側から取付用ボルト１７を挿通し、その取付用ボルト１７をナット１６に螺合させることにより、外側筐体１３に内側筐体１０が取り付けられる。
【００２６】
図２に示すように、上下に隣合う植栽ユニット２は、それぞれの側面部で連結手段１８によって互いに着脱可能に連結される。例えば図２（Ｂ）に示すように、連結手段１８は、ねじ結合される構成であり、上段の植栽ユニット２の下端部および下段の植栽ユニット２の上端部にそれぞれ設けられたねじ孔１９，１９と、これらねじ孔１９，１９に対応する連結用ボルト挿通孔２０，２０を有する連結板２１と、連結用ボルト２２，２２とからなる。なお、植栽ユニット２のねじ孔１９は、外側筐体１３に設けられている。
【００２７】
上段の植栽ユニット２の下端部および下段の植栽ユニット２の上端部に亘って連結板２１を配置し、連結用ボルト２２，２２を連結板２１の連結用ボルト挿通孔２０，２０に挿通し、上下の植栽ユニット２，２のねじ孔１９，１９に螺着させることにより、上下の植栽ユニット２，２を互いに着脱可能に連結する。最下段の植栽ユニット２と設備ユニット３も、上記同様の連結手段１８により互いに着脱可能に連結する。
【００２８】
上記のように連結板２１を用いて上下の植栽ユニット２を連結するのではなく、図２（Ｃ）に示すように、上下の植栽ユニット２の底面部と天面部とを直接連結してもよい。具体的には、上段の植栽ユニット２の底面部と下段の植栽ユニット２の天面部にそれぞれボルト挿通孔２３Ａ，２３Ｂが設けられ、これらボルト挿通孔２３Ａ，２３Ｂに連結用ボルト２２を挿通することで上下の植栽ユニット２を互いに連結する。図のように上部からボルト挿通孔２３Ａ，２３Ｂに連結用ボルト２２を挿通する場合、下部のボルト挿通孔２３Ｂの下側にナット２２ａを固定しておくか、またはボルト挿通孔２３Ｂをねじ孔とすれば、別途にナットを使用しなくて済む。
【００２９】
図示したねじ結合による連結手段１８は一例であって、連結手段１８として他の構成を採用してもよい。例えば、差込み構造、引っ掛け構造等を単独で、または複数組み合わせて構成してもよい。
【００３０】
図１（Ａ）に示すように、上下に並ぶ植栽ユニット２の背面側に、背面カバー２４が設けられている。背面カバー２４は、１枚の背面板部２４ａと２枚の側面板部２４ｂと１枚上面板部２４ｃとからなる。背面板部２４ａは、各外側筐体１３の背面板部１３ａから一定距離だけ隔てた位置にあって各植栽ユニット２に背面側を覆っている。側面板部２４ｂは、背面板部２４ａおよび外側筐体１３の背面板部１３ａの各両側端縁間に配置されている。上面板部２４ｃは、背面板部２４ａ、側面板部２４ｂ，２４ｂ、および最上段の外側筐体１３の背面板部１３ａの各上端縁間に配置されている。背面板部２４ａの下端は、設備ユニット３の背面の下端まで延びている。
【００３１】
各植栽ユニット２の外側筐体１３の背面板部１３ａと背面カバー２４との間には、背面側空間２５が形成されている。背面側空間２５の下端は、設備ユニット３の外郭ケース３ａによって閉塞されている。この実施形態の場合、背面カバー２４の背面板部２４ａに開口部２６が設けられており、前記背面側空間２５は開口部２６によって外部に開口している。開口部２６の形状は、例えば縦長のスリット状であるが、スリット状に限定されない。また、開口部２６は、背面カバー２４の背面板部２４ａにおける背面側空間２５の背面部分の全体に均等に分散して配置されていてもよく、あるいは特定の箇所に集中して配置されていてもよい。
【００３２】
設備ユニット３には、灌水用の水タンク３１と、この水タンク３１の水を各植物生育基盤６に送る３台（植栽ユニット２と同数）の灌水ポンプ３２と、これら灌水ポンプ３２の駆動を制御するマイコン等の制御装置３３とが内蔵されている。水タンク３１の下端と各灌水ポンプ３２とが導水管３４で接続され、各灌水ポンプ３２からそれぞれ植物生育基盤６内の上部へ灌水チューブ３５が延びている。灌水チューブ３５は、植物生育基盤６内に位置する水吐出部３５ａに水吐出用の孔（図示せず）が一つまたは複数設けられている。また、各植物生育基盤６の下部からそれぞれ排水チューブ３６が下方へ延び、その下端が水タンク３１の上部に繋がっている。灌水用チューブ３５および排水用チューブ３６の途中経路部は、前記背面側空間２５に配置されている。
【００３３】
なお、図１では、灌水ポンプ３２と各植物生育基盤６とを繋ぐ各灌水チューブ３５が灌水ポンプ３２側で１本にまとめて図示されているが、実際には各灌水チューブ３５はそれぞれ個別に灌水ポンプ３２と植物生育基盤６とを繋いでいる。よって、植栽ユニット２ごとに灌水量を調整することができる。同様に、水タンク３１と各植物生育基盤６とを繋ぐ各排水チューブ３６が水タンク３１側で１本にまとめて図示されているが、実際には各排水チューブ３６はそれぞれ個別に水タンク３１と植物生育基盤６とを繋いでいる。
【００３４】
灌水ポンプ３２を駆動すると、水タンク３１の水が導水管３４および灌水用チューブ３５を介して各植物生育基盤６に送られて灌水が行われる。灌水ポンプ３２の駆動は、制御装置３３によって通気量等に応じて制御される。植物生育基盤６の下部に溜まった余分の水は排水用チューブ３６を介して水タンク３１へ戻される。水タンク３１内の水が減った場合は、図示しない給水手段によって給水される。
【００３５】
図３に示すように、空気浄化緑化装置１Ａの側面部には側面化粧カバー２７が取り付けられる。また、設備ユニット３の正面部には、正面化粧カバー２８が取り付けられる。さらに、図１、図２に示すように、空気浄化緑化装置１Ａの天面部には、天面化粧カバー２９が取り付けられる。これら各化粧カバー２７，２８，２９は、意匠性を高めるための表面加工、デザイン処理等が施されている。これら化粧カバー２７，２８，２９を取り付けた場合でも外部に露出する背面カバー２４の背面板部２４ａ（図１）にも、同様の表面加工、デザイン処理等を施すのが好ましい。なお、図３は、天面化粧カバー２９（図２参照）が無い状態を示している。
【００３６】
この空気浄化緑化装置１Ａは、以下のように作用する。ファン８を回転駆動することにより、例えば図１に矢印で示すように、植物生育基盤６の正面側から空気が吸い込まれ、植物生育基盤６および通気層７を通過して、背面側空間２５に排出される空気の流れが生じる。植物生育基盤６を通過する過程で、空気が浄化される。浄化後の清浄な空気は、背面側空間２５から背面カバー２４の開口部２６を通り抜けて外部空間に出る。
【００３７】
植物生育基盤６の背面側に通気層７が設けられ、植物生育基盤６の背面の広い範囲が通気層７に接しているため、植物生育基盤６の全体を均等に通気することができる。また、各植栽ユニット２がファン８を有するので、各植栽ユニット２の植物生育基盤６についてむらのない均等な通気が行われる。このため、各植栽ユニット２の植物生育環境を同じにできる。
【００３８】
上記と逆に、背面側空間２５の空気を、通気層７を介して植物生育基盤６に裏面側から送り込むようにしてもよい。この場合、植物生育基盤６で浄化された清浄な空気が、植物生育基盤６の正面側から排出される。背面側空間２５には、背面カバー２４の開口部２６から外部空間の空気が取り込まれる。
【００３９】
この空気浄化緑化装置１Ａは、植栽ユニット２の連結個数を選択することによって、任意の広さの植栽面を得ることができる。各植栽ユニット２は連結手段１８によって互いに着脱可能に連結されるので、植栽ユニット２の組合せの変更が容易である。また、任意の植栽ユニット２だけを取り外して植物Ｐまたは植物生育基盤６を交換することも可能である。
【００４０】
特に図示例のように、植栽ユニット２が内側筐体１０と外側筐体１３とを有すると、或る植栽ユニット２の植物Ｐまたは植物生育基盤６を交換する際、その植栽ユニット２の内側筐体１０だけを取り外して交換作業を行えるので、交換作業がより一層容易である。外側筐体１３に内側筐体１０を取り付ける取付用ボルト１７（図１（Ｂ））は正面側から回し操作するため、各植栽ユニット２の外側筐体１３を互いに連結したまま、外側筐体１３に内側筐体１０を着脱することができる。
【００４１】
この空気浄化緑化装置１Ａの場合、機能的な面からだけ見れば背面カバー２４は無くてもよいが、以下の理由から背面カバー２４を設けることが望ましい。すなわち、上下に並んだ複数の植栽ユニット２の背面部を背面カバー２４で覆うことにより、各植栽ユニット２の背面を隠して意匠性を高める効果がある。また、背面カバー２４によって、ファン８の回転音に対する防音、およびファン８等を含む植栽ユニット２の保護の効果が期待できる。さらに、開口部２６の位置を任意に定めることで、背面側空間２５からの空気の吹き出し箇所を特定することができる。
【００４２】
図示例の背面カバー２４の背面板部２４ａは、意匠性を高めるために、最上段の植栽ユニット２の上端高さから設備ユニット３の下端高さまで延びる一体ものとしているが、植栽ユニット２の高さに合わせて上下に分割されていてもよい。上下に分割されていると、一体ものに比べて意匠性は劣るものの、サイズ変更がし易く、かつ取扱いが容易である。
【００４３】
上記実施形態は、複数の植栽ユニット２を上下に並べて配置した例を示すが、複数の植栽ユニット２を左右に並べて配置してもよい。その場合も、同様の作用・効果が得られる。
【００４４】
まとめると、この空気浄化緑化装置１Ａは、植物生育基盤６を有する植栽ユニット２を複数並べた構成としたことにより、以下の作用・効果が得られる。
１．１個当たりの植栽ユニット２の大きさをあまり大きくしなくて済むため、植栽ユニット２内での植物生育基盤６の偏りが生じ難く、植物生育基盤６を均一に詰めやすい。
２．上記理由により、植物生育基盤６が重力の影響で沈むことが少なく、植栽ユニット２の上部に植物生育基盤６が存在しない隙間ができることを避けられる。
３．複数の植栽ユニット２を上下または左右または上下左右に連結することによって、任意の広さの植栽面が得られる。
４．植栽ユニット２の各パーツをコンパクトで軽量にできるため、施工性が良い。
５．植物Ｐまたは植物生育基盤６を交換する際、植栽ユニット２ごと交換することができ、交換作業が簡単である。
【００４５】
また、植栽ユニット２ごとにファン８を設けたことにより、以下の作用・効果が得られる。
６．植栽ユニット２ごとに通気のむらが出難い。
７．上記理由により、植栽ユニット２ごとで植物生育環境に差が出難い。
８．サイズ違いの空気浄化緑化装置１Ａを作成する場合、ファン８の仕様を変える必要がない。
９．植物生育基盤６の背面側にファン８が位置するため、ファン８によって植栽面が狭められず、緑化壁面のうちの植栽面の面積を広く取れる。
【００４６】
この空気浄化緑化装置１Ａは、上記の各作用・効果が得られるため、例えば日当たりの悪い場所に設置した場合等に、植栽ユニット２を適宜入れ替えることで、植栽ユニット２ごとの植物Ｐの生長をコントロールすることができる。つまり、上部の植物Ｐは比較的光が当たるため大きく生長し、下部の植物Ｐは上部の植物Ｐに光が遮られて生長し難い。そこで、植物Ｐの生長が遅い下部の植栽ユニット２が上部に来るように上下の植栽ユニット２を入れ替えることで、入れ替え前に下部に位置していた植栽ユニット２の植物Ｐの生長を促し、各植栽ユニット２の植物Ｐの生長を同程度に揃えることができる。
【００４７】
従来のように、一体ものの箱形フレーム内に植物生育基盤が詰められている場合、植物の生長を揃えようとすると、箱形フレーム内のすべての植物を植物生育基盤ごと交換するか、または植物生育基盤から植物だけを取り出して交換しなければならない。植物生育基盤ごと交換するのは費用が高くつき、植物だけを交換するのは植物の根を傷める恐れがある。それに対し、この空気浄化緑化装置１Ａの場合は、交換が必要な植物Ｐが植えられている植栽ユニット２の植物Ｐおよび植物生育基盤６だけを交換すればよいので、交換費用が低く抑えられ、かつ植物Ｐの根を傷める恐れがない。
【００４８】
図５はこの発明の異なる実施形態を示す。この空気浄化緑化装置１Ｂは、以下に記載する点を除けば図１に示す空気浄化緑化装置１Ａと同じ構成であり、同じ構成箇所については図１と同一符号を付し、説明を省略する。
【００４９】
この空気浄化緑化装置１Ｂは、背面側空間２５が植物生育基盤６を通過する空気の経路の一部とされ、この背面側空間２５の下端と空気浄化緑化装置１Ｂの正面側の外部空間とを連通する通気経路４０が、最下段の植栽ユニット２と設備ユニット３との間に形成されている。背面側空間２５を空気の経路の一部とするために、前記実施形態（図１）と違って背面カバー２４の背面板部２４ａに開口部が開けられておらず、背面カバー２４は気密性を有している。
【００５０】
通気経路４０には、空気浄化性能を高める浄化促進手段４１が設けられている。浄化促進手段４１は、例えば活性炭、光触媒等である。浄化促進手段４１が光触媒である場合、通気経路４０以外に、空気の経路の一部である背面側空間２５の内壁面、通気層７の内壁面等に塗布することができる。なお、図１の空気浄化緑化装置１Ａおよび後で示す空気浄化緑化装置１Ｃ，１Ｄについても、光触媒からなる浄化促進手段４１を通気層７の内壁面に塗布してもよい。図５の例では、各植栽ユニット２のファン８による送風を補助するファン４２が設けられている。ファン４２は必ずしも設けなくてもよい。
【００５１】
この空気浄化緑化装置１Ｂは、ファン８，４２を回転駆動することにより、植物生育基盤６、通気層７、背面側空間２５、通気経路４０の順、またはこの逆の空気の流れが生じる。順方向の空気の流れの場合、植物生育基盤６の正面側から空気が吸い込まれ、吸い込まれた空気が植物生育基盤６で浄化され、さらに浄化促進手段４１で浄化が促進され、浄化後の清浄な空気が、通気経路４０から正面側に排出される。逆方向の空気の流れの場合、通気経路４０の正面側から空気が吸い込まれ、吸い込まれた空気が浄化促進手段４１で浄化された後、植物生育基盤６でさらに浄化され、浄化後の清浄な空気が、植物生育基盤６の正面側に排出される。
【００５２】
図５に示す空気浄化緑化装置１Ｂは、最下段の植栽ユニット２の下側に通気経路４０が配置されているが、同空気浄化緑化装置１Ｂにおいて、図６に示すように、通気経路４０を最上段の植栽ユニット２の上側に配置するように変更した空気浄化緑化装置１Ｃとしてもよい。この配置であると、順方向の空気の流れの場合、浄化後の清浄な空気が正面側の外部空間の上方に排出されるため、通気経路４０から排出された空気が空気浄化緑化装置１Ｃの正面側に居る人に直接当たることを避けられる。
【００５３】
図７〜図１０はこの発明のさらに異なる実施形態を示す。この空気浄化緑化装置１Ｄは、図７に示すように、植栽ユニット２の内側筐体１０の内部に複数の植栽ポット５１が設けられており、これら植栽ポット５１に植物Ｐを１株ずつ植える構成である。植栽ポット５１の中には、前記同様の植物生育基盤６が詰められる。また、植栽ポット５１の外面と内側筐体１０の内面との間の隙間にも、同様の植物生育基盤６が詰められる。他は図１に示す空気浄化緑化装置１Ａと同じ構成であり、同じ構成箇所については図１と同一符号を付し、説明は省略する。
【００５４】
図９は植栽ユニットの分解斜視図である。植栽ユニット２は、前記空気浄化緑化装置１Ａ，１Ｂ，１Ｃと同様の内側筐体１０および外側筐体１３を備える。他に、複数の植栽ポット５１および前蓋５４を備える。図の例では、一つの植栽ユニット２当たりの植栽ポット５１の数は３個である。植栽ポット５１は、ポット本体５２と止めリング５３とからなる。ポット本体５２の外周部および底部は、通気性および通水性を有するネット状材料でできている。
【００５５】
図１０は前蓋５４への植栽ポット５１の取付部の断面図である。同図に示すように、ポット本体５２の開口端には、外側に広がるつば部５２ａが設けられている。また、つば部５２ａの正面側に円筒部５２ｂが設けられ、この円筒部５２ｂの外周に雄ねじ５２ｃが形成されている。止めリング５３の内周には、前記雄ねじ５２ｃに螺合する雌ねじ５３ａが形成されている。
【００５６】
図９において、前蓋５４は、内側筐体１０の縁部１０ａに被さる大きさの板材であり、中央部にポット本体５２の円筒部５２ｂ（図１０）が嵌まり込む円形孔５４ａを複数有する。また、前蓋５４には、内側筐体１０の縁部１０ａに設けられた取付用ボルト挿通孔１０ｂ、および外側筐体１３の縁部１３ｂに設けられた取付用ボルト挿通孔１３ｃの位置に合わせて、取付用ボルト挿通孔５４ｂが設けられている。
【００５７】
ポット本体５２の円筒部５２ｂを前蓋５４の円形孔５４ａに背面側から挿入し、円筒部５２ｂの雄ねじ５２ｃに止めリング５３の雌ねじ５３ａを螺合させることで、前蓋５４に植栽ポット５１が取り付けられる。このように植栽ポット５１を取り付けた前蓋５４を、内側筐体１０の縁部１０ａに正面側から被せ、前蓋５４の取付用ボルト挿通孔５４ｂ、内側筐体１０の取付用ボルト挿通孔１０ｂ、および外側筐体１３の取付用ボルト挿通孔１３ｃに取付用ボルト（図示せず）を挿通し、その取付用ボルトを、外側筐体１３の縁部１３ｂの背面に設けられたナット（図示せず）に螺合させることにより、前蓋５４が内側筐体１０および外側筐体１３に取り付けられる。
【００５８】
図７に矢印で示すように、この空気浄化緑化装置１Ｄは、ファン８を回転駆動することにより、植栽ポット５１の正面側から空気が吸い込まれる。吸い込まれた空気は、植栽ポット５１内の植物生育基盤６、および植栽ポット５１と内側筐体１０間の植物生育基盤６を通過し、通気層７を経て背面側空間２５に排出される。この場合も、植物生育基盤６を通過する過程で、空気が浄化される。浄化後の清浄な空気は、背面側空間２５から背面カバー２４の開口部２６を通り抜けて背面側の外部空間に出る。ファン８の回転方向を逆にすると、上記と逆の空気の流れが生じる。
【００５９】
このように植栽ポット５１に植物Ｐを１株ずつ植える構成であると、植栽ポット５１単位で植物Ｐの交換が可能であるため、植物Ｐの交換作業がより一層容易である。
【００６０】
従来のように一体ものの箱形フレーム内に植物生育基盤が詰められる空気浄化緑化装置に植栽ポット５１を適用した場合、植栽ポット５１が植物生育基盤の沈み込みを阻害することによって植物生育基盤の偏りは少ない。しかし、それでも植栽ポット５１の箱形フレームとの隙間に詰められた植物生育基盤がある程度沈み込むため、箱形フレームの上部に植物生育基盤が存在しない隙間ができることが避けられない。この空気浄化緑化装置１Ｄのように、複数の植栽ユニット２を上下に並べた構成であると、上記植物生育基盤の沈み込みを低減することができる。
【符号の説明】
【００６１】
１Ａ，１Ｂ，１Ｃ，１Ｄ…空気浄化緑化装置
２…植栽ユニット
６…植物生育基盤
７…通気層
８…ファン
１０…内側筐体
１３…外側筐体
１３ａ…背面板部
１８…連結手段
２４…背面カバー
２５…背面側空間
２６…開口部
４１…浄化促進手段
【図１】
0006745626.tif 000002
【図２】
0006745626.tif 000003
【図３】
0006745626.tif 000004
【図４】
0006745626.tif 000005
【図５】
0006745626.tif 000006
【図６】
0006745626.tif 000007
【図７】
0006745626.tif 000008
【図８】
0006745626.tif 000009
【図９】
0006745626.tif 000010
【図１０】
0006745626.tif 000011
【図１１】
0006745626.tif 000012